(57)【要約】【課題】フロントガイダに結露しても不織布や補助送風ファンを用いることなく、安価にフロントガイダからの結露水の飛び出しを防止することができる空気調和機を提供すること。【解決手段】冷房運転時、吹出部７を流れる冷気により冷却されたフロントガイダ６の露出部に湿気を多く含む室内空気が接触したとき、その室内空気が冷却されて過飽和となって、フロントガイダ６上部に結露が生じ、前方に流れ出ようとするが、結露水が流れるフロントガイダ６の該当部分に左右に延びる１本もしくは複数本の凸状のリブ１２を備えることにより、そこで一旦水が停滞するため本体の前方に水が飛び出すことがなくなる。【選択図】図１
2007322103.tif 000002
【特許請求の範囲】
【請求項１】
スクロールと一体形成する台枠に取り付けられた室内側熱交換器と、前記室内側熱交換器の下部にフロントガイダを兼ねた露受皿を有し、前記フロントガイダに左右に延びる１本もしくは複数本の凸状のリブを備えたことを特徴とする空気調和機。
【請求項２】
スクロールと一体形成する台枠に取り付けられた室内側熱交換器と、前記室内側熱交換器の下部にフロントガイダを兼ねた露受皿を有し、前記フロントガイダに左右に延びる１本もしくは複数本の溝を備えたことを特徴とする空気調和機。
【請求項３】
前記凸状のリブはフロントガイダと一体成形されていることを特徴とする請求項１に記載の空気調和機。
【発明の詳細な説明】
【技術分野】
【０００１】
本発明は結露水処理機構を有する空気調和機に関するものである。
【背景技術】
【０００２】
従来、この種の空気調和機は、冷房運転時、クロスフローファンによって前面グリルから吸い込まれた室内空気が室内熱交換器で熱交換された後、露受皿の下側に設けられた吹出部から室内に吹出される際に、露受皿のフロントガイダの先端部に取り付けられた不織布によって、フロントガイダの先端部に発生する結露を防ぐと共に、フロントガイダで生じた結露を吸収して、室内に結露を飛散させないようにしている。なお、上記不織布５の代わりに、植毛処理された断熱材を用いたものもある。
【０００３】
また、送風ファンとファンモータとの間に、ファンモータの回転軸に固着した補助送風ファンを設けるとともに、補助送風ファンを覆うファンケースを設け、吹出口の前縁上部に第一排出口を、後縁下部に第二排出口を夫々設け、電装品箱で発生した熱を前記補助送風ファンにより第一排出口と第二排出口とから排出しているものもある（例えば、特許文献１参照）。
【０００４】
図３は、従来の空気調和機の要部断面図を示すものである。図３に示すように、室内ユニット１０は、前面の下部に吹出部７が設けられたスクロール９と、スクロール９内の前面側に配置された室内熱交換器１と、スクロール９内に室内熱交換器１の下側に配置された露受皿８と、スクロール９内に室内熱交換器１の後面側に配置されたクロスフローファン２とを備えている。
【０００５】
スクロール９の室内熱交換器１の前面側に前面グリル３を取り付けると共に、前面グリル３の前面側にフロントパネル４を取り付けている。上記露受皿８は、フロントパネル４の下端近傍まで前方に向かって延びるフロントガイダ６を有し、そのフロントガイダ６の先端部に不織布５を取り付けている。
【０００６】
図４は、特許文献１に記載された従来の空気調和機の要部断面図を示すものである。図４に示すように、室内ユニット１０の前面下部に吹出部７を設け、室内熱交換器１と、ファンモータ１５により駆動されるクロスフローファン２と、クロスフローファン２とファンモータ１５との間にファンモータ１５の回転軸に固着された補助送風ファン１８を設けると共に、補助送風ファン１８を収納し、電装品箱（図示せず）と接続され、吹出部７の前縁上部に設けた第一排出口１６、後縁下部に設けた第二排出口１７と夫々連通するファンケース１９を設けた構成となっている。
【特許文献１】特開２００２−２４３１９４号公報
【発明の開示】
【発明が解決しようとする課題】
【０００７】
しかしながら、前記従来の構成では、フロントガイダの先端部の不織布等や補助送風ファン、２つの排出口を有する複雑な本体形状などが必要になるため、コストアップするという問題がある。
【０００８】
また、不織布が外部に露出して、色や形状等に制約があるためにデザインが限定され、デザインの自由度が低いという欠点がある。また、結露を吸収した不織布にカビが発生したり埃が付着したりして、フロントガイダが不衛生になり、美観を損なうという課題を有していた。
【０００９】
本発明は、前記従来の課題を解決するもので、不織布や補助送風ファン、２つの排出口を有する複雑な本体形状などを用いることなく、安価にフロントガイダからの結露水の飛び出しを防止すると共に、デザインの自由度を広くできる衛生的な空気調和機を提供することを目的とする。
【課題を解決するための手段】
【００１０】
前記従来の課題を解決するために、本発明の空気調和機は、スクロールと一体形成する台枠に取り付けられた室内側熱交換器と、室内側熱交換器の下部にフロントガイダを兼ねた露受皿を有し、フロントガイダに左右に延びる１本もしくは複数本の凸状のリブを備えたものである。
【００１１】
これによって、フロントガイダ上部に結露した結露水は、フロントガイダを伝わって前方に流れ出ようとするが、フロントガイダにリブがあるため、そこで一旦水が停滞するのでフロントガイダから結露水が飛び出すことがなくなる。
【発明の効果】
【００１２】
本発明の空気調和機は、安価にフロントガイダからの結露水の飛び出しを防止すると共に、デザインの自由度を広くでき、フロントガイダ上部を清潔に保つことができる。
【発明を実施するための最良の形態】
【００１３】
第１の発明はスクロールと一体形成する台枠に取り付けられた室内側熱交換器と、前記室内側熱交換器の下部にフロントガイダを兼ねた露受皿を有し、前記フロントガイダに左右に延びる１本もしくは複数本の凸状のリブを備えたことにより、フロントガイドに結露した水は前方に流れ出ようとするが、結露水が流れるフロントガイドの該当部分にリブがあるため、そこで一旦水が停滞するため本体の前方に水が飛び出すことがなくなる。
【００１４】
第２の発明は、スクロールと一体形成する台枠に取り付けられた室内側熱交換器と、前記室内側熱交換器の下部にフロントガイダを兼ねた露受皿を有し、前記フロントガイダに左右に延びる１本もしくは複数本の溝を備えたことにより、フロントガイドに結露した水は前方に流れ出ようとするが、結露水が流れるフロントガイドの該当部分に溝があるため、そこで一旦水が停滞するため本体の前方に水が飛び出すことがなくなる。また、目立たない構成となり室内本体の意匠性の向上が図れる。
【００１５】
第３の発明は、特に、第１の発明の凸状のリブを、フロントガイダと一体成形することにより、フロントガイダ生成後の後加工の手間や接着剤等の材料が不要であるため経済的である。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の要部断面図及びリブの要部断面図を示すものである。
【００１８】
図１において、クロスフローファン１によって、吸込み口から吸込まれた室内空気は、スクロール９と一体形成された台枠１１と外郭を形成する前面グリル３とフロントパネル４からなる室内機内部で熱交換され、スクロール９に沿って吹出部７から室内に吹出され、室内温度を制御するものである。
【００１９】
冷房運転時、吹出部７を流れる冷気により冷却されたフロントガイダ６の露出部に湿気を多く含む室内空気が接触したとき、その室内空気が冷却されて過飽和となって、フロントガイダ６上部に結露が生じる。そのため、フロントガイダ６に結露した水は前方に流れ出ようとするが、結露水が流れるフロントガイダ６の該当部分に左右に延びる１本もしくは複数本の凸状のリブ１２があるため、そこで一旦水が停滞するため本体の前方に水が飛び出すことがなくなる。
以上のように、本実施の形態においてフロントガイダ６に結露した水は、フロントガイダ６に左右に延びる凸状のリブ１２を１本もしくは複数本設けることにより、本体外に飛び出すことながなくなる。
その結果、不織布や断熱材を用いることなく、安価にフロントガイダ６からの結露の滴下を防止することができると共に、結露を吸収した不織布にカビが発生したり埃が付着したりしないために、吹出口上部を清潔に保つことができる。
【００２０】
また、本実施の形態のリブをフロントガイダと一体成形することにより、フロントガイダ生成後の後加工の手間や接着剤等の材料が不要となり、安価にまた短時間で構成することができ、コストダウンを図れる。
【００２１】
（実施の形態２）
図２は、本発明の第２の実施の形態における空気調和機の溝の要部断面図を示すものである。
【００２２】
図２において、フロントガイダ６の該当部分に左右に延びる１本もしくは複数本の溝１３を設けることにより、フロントガイダ６上部に結露した水はフロントガイダ６を伝わって前方に流れ出ようとするが、そこで一旦水が停滞するため本体の前方に水が飛び出すことがなくなる。
【００２３】
以上のように、本実施の形態においてフロントガイダ６に結露した水は、フロントガイダ６に左右に延びる溝１３を１本もしくは複数本設けることにより、本体外に飛び出すことながなくなる。
【００２４】
その結果、不織布や断熱材を用いることなく、安価にフロントガイダ６からの結露の滴下を防止することができると共に、目立たない構成となるため意匠性の向上と材料費の削減によりコストダウンが図れる。
【産業上の利用可能性】
【００２５】
以上のように、本発明にかかる空気調和機は、安価にフロントガイダからの結露水の飛び出しを防止すると共に、デザインの自由度を広くでき、フロントガイダ上部を清潔に保つことが可能となるので、除湿機等の用途にも適用できる。
【図面の簡単な説明】
【００２６】
【図１】本発明の実施の形態１における空気調和機の（ａ）は要部断面図（ｂ）はリブの要部断面図
【図２】本発明の実施の形態２における空気調和機の溝の要部断面図
【図３】従来の空気調和機の要部断面図
【図４】従来の空気調和機の要部断面図
【符号の説明】
【００２７】
１  室内熱交換器
２  クロスフローファン
３  前面グリル
４  フロントパネル
５  不織布
６  フロントガイダ
７  吹出部
８  露受皿
９  スクロール
１０  室内ユニット
１１  台枠  
１２  リブ
１３  溝
１５  ファンモータ
１６  第一排出口
１７  第二排出口
１８  補助送風ファン
１９  ファンケース
【図１】
2007322103.tif 000003
【図２】
2007322103.tif 000004
【図３】
2007322103.tif 000005
【図４】
2007322103.tif 000006